(57)【要約】【課題】種々の情報を判り易く表示できる柄付きバインダーの提供。【解決手段】この柄付きバインダー２は、人が保持する保持部を有する柄１２と、柄１２の先端に取り付けられているボード４と、ボード４に取り付けられている留め具６とを備えている。好ましくは、留め具６はボード４の上部に固定されている。係止部２０の下端部２０ｂは、バネによって、ボード４に向かう回動向きに付勢している。好ましくは、この柄付きバインダー２は、更に、表示部を備えている。この表示部は、留め具６によってボード４に取り付けられている。好ましくは、表示部は紙である。好ましくは、表示部はストーンペーパである。【選択図】図１
0003209347.tif 000002
【実用新案登録請求の範囲】
【請求項１】
人が保持する保持部を有する柄と、
上記柄の先端に取り付けられているボードと、
上記ボードに取り付けられている留め具と
を備えている、柄付きバインダー。
【請求項２】
上記留め具が、係止部及び弾性体を備えており、上記ボードの上部に固定されており、
上記係止部の下端部が上端部に対して回動可能にされており、
上記弾性体が、上記係止部の下端部を上記ボードに向かう回動向きに付勢している請求項１に記載の柄付きバインダー。
【請求項３】
表示部を備えており、
上記表示部が上記留め具によって上記ボードに取り付けられている請求項１又は２に記載の柄付きバインダー。
【請求項４】
上記表示部が紙である請求項３に記載の柄付きバインダー。
【請求項５】
上記表示部がストーンペーパである請求項４に記載の柄付きバインダー。
【考案の詳細な説明】
【技術分野】
【０００１】
本考案は、工事現場等でカメラ撮影に用いられる柄付きバインダーに関する。
【背景技術】
【０００２】
工事現場では、現場の状況を記録する目的で、カメラで現場写真が撮影される。この撮影では、黒板やホワイトボード等の表示プレートに、工事名、場所、日付等の情報が記載される。この表示プレートが、工事現場を背景としつつ撮影される。この表示プレートと現場の状況とを一緒に撮影して、現場写真として記録がされる。
【０００３】
実用新案登録第３１７３７３９号公報には、表示プレートに柄が取り付けられた柄付きボードが開示されている。この柄付きボードでは、表示プレートに、工事名、場所、日付等の情報を書き込む枠が設けられている。この枠に、情報が書き込まれることで、情報が簡単に且つ判り易く表示される。この柄付きボードでは、表示プレートを撮影する際に、一方の手で柄を把持し、他方の手でカメラのシャッターボタンを押すことができる。この柄付きボードを使用することで、作業者は一人で現場写真を撮影しうる。
【先行技術文献】
【特許文献】
【０００４】
【特許文献１】実用新案登録第３１７３７３９号公報
【考案の概要】
【考案が解決しようとする課題】
【０００５】
この様な柄付きボードは、工事現場のみならず、建物の検査現場、各種の試験現場等、種々の現場で使用されうる。使用される現場によって、このボードに表示される情報は様々である。前述の柄付きボードでは、表示される様々な情報に合わせて、情報を書き込む枠を変更する必要がある。その現場毎に、異なる枠が設けられた表示ボードを準備する必要がある。現場毎に、表示ボードが異なる柄付きボードを準備する必要がある。
【０００６】
本考案の目的は、種々の情報を判り易く表示できる柄付きバインダーの提供にある。
【課題を解決するための手段】
【０００７】
本考案に係る柄付きバインダーは、人が保持する保持部を有する柄と、上記柄の先端に取り付けられているボードと、上記ボードに取り付けられている留め具とを備えている。
【０００８】
好ましくは、上記留め具は、係止部及び弾性体を備えている。この留め具は、上記ボードの上部に固定されている。上記係止部の下端部は、上端部に対して回動可能にされている。上記弾性体は、上記係止部の下端部を上記ボードに向かう回動向きに付勢している。
【０００９】
好ましくは、上記柄付きバインダーは、表示部を備えている。上記表示部は、上記留め具によって上記ボードに取り付けられている。
【００１０】
好ましくは、上記表示部は、紙である。
【００１１】
好ましくは、上記表示部は、ストーンペーパである。
【考案の効果】
【００１２】
本考案に係る柄付きバインダーでは、留め具でボードに表示物を取り付けられる。この表示物を交換することで、様々の様式の表示物を使用できる。使用される現場毎に、情報を書き込むための異なる枠が設けられた表示物を使用することができる。表示物を交換することで、１つの柄付きバインダーで、種々の情報を判り易く表示できる。
【図面の簡単な説明】
【００１３】
【図１】図１は、本考案の一実施形態に係る柄付きバインダーが示された正面図である。
【図２】図２は、図１の柄付きバインダーが示された側面図である。
【図３】図３は、図１の柄付きバインダーの柄の部分断面図である。
【図４】図４は、図１の柄付きバインダーの柄の部分分解図である。
【図５】図５（ａ）は図１の柄付きバインダーの使用状態が示された説明図であり、図５（ｂ）はこの柄付きバインダーの他の使用状態が示された説明図であり、図５（ｃ）はこの柄付きバインダーの更に他の使用状態が示された説明図である。
【図６】図６は、図１の柄付きバインダーの更に他の使用状態が示された説明図である。
【考案を実施するための形態】
【００１４】
以下、適宜図面が参照されつつ、好ましい実施形態に基づいて本考案が詳細に説明される。
【００１５】
図１及び図２に示された柄付きバインダー２は、ボード４、留め具６、ブラケット８、Ｔ字部材１０及び柄１２を備えている。更に、この柄付きバインダー２は、図５（ｂ）及び図５（ｃ）に示される様に、表示部としてのストーンペーパ１４を備えている。説明の便宜上、図１の上下方向を柄付きバインダー２の上下方向として、図１の左右方向を柄付きバインダー２の左右方向として、図１の紙面に垂直な方向を柄付きバインダー２の前後方向として説明がされる。図２において左右方向左向きを柄付きバインダー２の前後方向前向きとして説明がされる。
【００１６】
ボード４は、略矩形の板である。このボード４は、表示物が取り付けられるボード表面４ａを備えている。このボード表面４ａは、柄付きバインダー２が使用されるときに、撮影するカメラに向けられる面である。このボード４は、ペーパーストーン１４等の表示部を支持しうる剛性を備えている。このボード４は、例えば木、硬質合成樹脂からなる。
【００１７】
留め具６は、基部１６、支持部１８及び係止部２０を備えている。図示されないが、留め具６は、弾性体としてのバネを更に備えている。基部１６は、ボード表面４ａの上部に固定されている。支持部１８は、基部１６の上端に固定されている。支持部１８は、ボード表面４ａの前方に突出している。係止部２０の上端部２０ａは、支持部１８に、取り付けられている。係止部２０の下端部２０ｂは、左右方向を回動軸にして、回動可能にされている。留め具６のバネは、この係止部２０の下端部２０ｂを基部１６に向けて付勢している。この留め具６では、バネが係止部２０の下端部２０ｂをボード４に向かう回動向きに付勢している。
【００１８】
ブラケット８は、基板２２と一対のブラケット本体２４とを備えている。基板２２は、ボード表面４ａの下部に固定されている。一対のブラケット本体２４は、左右方向に間隔を空けて基板２２から前方に突出している。それぞれのブラケット本体２４には、左右方向に貫通する孔が形成されている。
【００１９】
Ｔ字部材１０は、筒部２８、枝部３０、軸ボルト３２及びナット３４を備えている。筒部２８と枝部３０とは一体に形成されている。筒部２８は左右方向を軸方向にして延びる筒状の形状を備えている。筒部２８は、その軸線方向に貫通孔が形成されている。枝部３０は、筒部２８の軸方向中央から筒部２８の軸方向に対して垂直な方向に延びている。このＴ字部材１０の典型的な材質は、硬質合成樹脂である。
【００２０】
軸ボルト３２は、一方のブラケット本体２４の孔、Ｔ字部材１０の貫通孔、他方のブラケット本体２４の孔に、通されている。この軸ボルト３２の先端は、ナット３４に螺入されている。このナット３４は、例えば袋ナットである。この軸ボルト３２及びナット３４により、ブラケット８にＴ字部材１０が取り付けられている。Ｔ字部材１０は、軸ボルト３２を回動軸として、ボード４に対して回動しうる。
【００２１】
図１及び図２に示される様に、柄１２は、第一節３６、第二節３８、第三節４０、第四節４２及び保持部４４を備えている。図３及び図４に示される様に、柄１２は、更に、弾性体としての複数の板バネ４６を備えている。
【００２２】
図４に示される様に、第一節３６は、中空パイプである。第一節３６は、一対の円弧壁４８と一対の平面壁５０とからなっている。一対の円弧壁４８は軸線を間にして対向している。一対の平面壁５０も軸線を間にして対向している。第一節３６の外周面は、一対の円弧面４８ａと一対の平面５０ａとからなっている。第二節３８、第三節４０及び第四節４２の断面形状は、それぞれ第一節３６の断面形状に、ほぼ相似である。この第一節３６、第二節３８、第三節４０及び第四節４２では、小径側の断面の外形は、隣接する大径側の断面の内形より僅かに小さくされている。第一節３６、第二節３８、第三節４０及び第四節４２の材質は、例えば、スチール又はステンレススチールである。
【００２３】
図３に示される様に、第一節３６の後端部３６ｂは第二節３８の先端部３８ｆに挿入されている。第一節３６は第二節３８に挿入されて、第一節３６と第二節３８とは入れ子式構造にされている。本考案において、入れ子式構造とは、例えば望遠鏡のように、径の大きい筒状部材の内部に径の小さい筒状部材が同軸状に且つ出し入れ自在に収納されてなる構造をいう。この柄１２では、第一節３６と第二節３８との構造と同様に、第二節３８と第三節４０とは入れ子式構造にされており、第三節４０と第四節４２とは入れ子式構造にされている。
【００２４】
図４に示される様に、板バネ４６は、所定の曲率半径で湾曲した板状の形状を備えている。一対の板バネ４６が、第一節３６の後端部３６ｂの外面に取り付けられる。一対の板バネ４６は、柄１２の軸線を間にして取り付けられる。板バネ４６は、所定の曲率半径で湾曲する形状を備えている。この湾曲形状の軸線方向が第一節３６の軸線方向と平行になる姿勢で、板バネ４６が取り付けられる。
【００２５】
図３に示される様に、第一節３６と第二節３８とが入れ子構造にされた状態において、板バネ４６は、第一節３６の後端部３６ｂの外周面である円弧面４８ａと第二節３８の内周面との間に配置されている。板バネ４６の湾曲の曲率半径は、第一節３６の円弧面４８ａの曲率半径より小さい。板バネ４６は、第二節３８の内周面と第一節３６の円弧面４８ａとによって挟圧され、弾性変形している。同様に、他の一対の板バネ４６は、第二節３８の後端部３８ｂの外周面と第三節４０の内周面との間に配置されている。更に他の一対の板バネ４６は、第三節４０の後端部４０ｂの外周面と第四節４２の内周面との間に配置されている。
【００２６】
図１及び図２に示される様に、この柄１２の第一節３６の先端部３６ａは、Ｔ字部材１０の枝部３０に固定されている。この柄１２は、Ｔ字部材１０と共に、軸ボルト３２を軸としてボード４に対して回動可能にされている。ボード４に対する柄１２の回動角度は、任意に設定されうる。
【００２７】
柄１２は、入り子構造を備えているので、その全長を伸縮可能にされている。伸縮のとき、板バネ４６の反力が、適度な抵抗力を付与する。この板バネ４６の抵抗力は、柄１２の不用意な伸縮を防止している。また、柄１２が大きく伸張されたとき、第一節３６、第二節３８、第三節４０及び第四節４２では、大径側の先端部に形成された絞り部が、小径側の後端部の板バネ４６に当接する。この当接により、小径側の後端部が大径側の先端部から抜け出ることが防止されている。
【００２８】
柄１２では、第一節３６の外周の平面５０ａは、第二節３８の内周の平面に当接している。これにより、第一節３６が第二節３８に対して軸線を回転軸にして回転することが防止されている。この柄１２では、同様にして、第二節３８は第三節４０に対して軸線を回転軸して回転することが防止され、第三節４０は第四節４２に対して軸線を回転軸にして回転することが防止されている。この第一節３６は、一対の平面５０ａを備えているが、この回転を防止できればよく、平面５０ａは１つであってもよい。
【００２９】
図１及び図２に示される様に、保持部４４は、最も外側の第四節４２の外周面に取り付けられている。保持部４４は、人が手で把持する部分である。保持部４４は、人が把持しやすい材質からなる。この材質として、例えば合成樹脂が例示される。
【００３０】
図５（ｂ）及び図５（ｃ）に示されるストーンペーパ１４は、無機鉱物粉末を主成分とする紙である。このストーンペーパ１４は、矩形の表面１４ａを備えている。このストーンペーパ１４は、例えば、主成分の石灰石（ＣａＣＯ３）に、ポリエチレン樹脂および添加剤等を混合した組成物からなる。ストーンペーパ１４は、表面１４ａが滑らかで、耐水性に優れており、水に濡れても破損し難い。また、その表面１４ａに、紙と同様に、種々の筆記具で文字を書くことができる。例えば、鉛筆で文字を書き、その書いた文字を消しゴムで消すことができる。
【００３１】
図示されないが、ストーンペーパ１４の表面１４ａに、情報を情報毎に書き込むための枠が表示されている。この情報は、例えば、工事名、場所、日付の他、撮影箇所及び撮影箇所の状況等である。このストーンペーパ１４は表示部の例示であって、この表示部は、紙、黒板、ホワイトボード等であっても良い。留め具６でボード４に取り付ける観点から、表示部は、屈曲可能なシート状のものや、板状のものが好適である。
【００３２】
図５（ａ）には、係止部２０の下端２０ｂがバネの付勢力に抗して回動された状態が示されている。この留め具６では、下端部２０ｂが基部１６から離れている。図５（ｂ）では、図５（ａ）の状態の柄付きバインダー２のボード表面４ａに、ストーンペーパ１４が載置されている。図５（ｃ）では、係止部２０の下端２０ｂが、バネの付勢力によって、基部１６との間で、ストーンペーパ１４の上端部を挟み込んでいる。この挟み込みによって、ストーンペーパ１４は、ボード４に取り付けられている。このストーンペーパ１４は、表面１４ａを前方に（撮影するカメラに向く方向に）向けて、ボード４に取り付けられている。
【００３３】
図６には、この柄付きバインダー２と共に作業者Ｐが示されている。作業者Ｐが左手で柄付きバインダー２を把持している。作業者Ｐは、右手でカメラ５２のシャッターボタンを押している。作業者Ｐは、背景と共に、ボードに取り付けられたストーンペーパ１４（表面１４ａ）を撮影している。
【００３４】
図５（ａ）から図５（ｃ）と図６とを参照しつつ、柄付きバインダー２の使用方法が説明される。ここでは、建物の壁の検査現場を例に説明がされる。
【００３５】
作業者Ｐは、壁の検査道具と共に、柄付きバインダー２を準備する。この柄付きバインダー２は、複数のストーンペーパ１４を備えている。それぞれのストーンペーパ１４の表面１４ａには、工事名、場所、日付の他、撮影箇所及び撮影箇所の状況等の情報毎に書き込むための枠が表示されている。
【００３６】
作業者Ｐは、壁の検査道具を使用して、壁の不具合を検査する。作業者Ｐは、例えば、壁にひび割れを確認すると、そのひび割れの幅、長さ、深さ等を測定する。
【００３７】
作業者Ｐは、柄付きバインダー２の留め具６の係止部２０を回動させる。図５（ａ）に示される様に、下端部２０ｂが回動させられる。作業者Ｐは、ボード表面４ａに、一枚のストーンペーパ１４を載置する。図５（ｂ）示される様に、ストーンペーパ１４は、表面１４ａを前方に向けて、載置される。作業者Ｐは、回動させた係止部２０から手を離す。係止部２０は、バネの付勢力で回動する。図５（ｃ）に示される様に、基部１６と係止部２０の下端部２０ｂとは、ストーンペーパ１４の上端部を挟み込む。
【００３８】
作業者Ｐは、例えば、鉛筆で表面１４ａの各枠に、工事名、場所、日付の他、撮影箇所及び撮影箇所の状況等の必要な情報を書き込む。撮影箇所の欄に、建物における壁の位置を特定する情報を書き込む。また、撮影箇所の状況の欄には、壁のひび割れの幅、長さ、深さ等の情報を書き込む。
【００３９】
作業者Ｐは、第一節３６、第二節３８、第三節４０及び第四節４２のそれぞれを出し入れして、柄１２の長さを適正な長さに調整する。作業者Ｐは、ボード４に対して柄１２を回動させて、柄１２をボードに対して適正な回動角度で傾斜させる。作業者Ｐは、一方の手で保持部４４を把持して、ストーンペーパ１４の表面１４ａを適正な位置に合わせる。表面１４ａが適正に位置させられることで、表面１４ａは壁のひび割れと共に適正に撮影される。図６に示される様に、作業者Ｐは、カメラ５２のシャッターボタンを押して、表面１４ａと、図示されない壁のひび割れとを撮影する。
【００４０】
作業者Ｐは、ボード４からストーンペーパ１４を取り外す。作業者Ｐは、取り外したストーンペーパ１４を保管する。例えば、作業者Ｐはこのストーンペーパ１４をファイルブックにファイルする。作業者Ｐは、更に、建物の他の箇所の壁の不具合を検査する。作業者Ｐは、他の不具合を確認すると、新たな他のストーンペーパ１４を使用して、前述の壁のひび割れと同様にして、写真撮影をする。作業者Ｐは、撮影した他のストーンペーパ１４を、ファイルブックにファイルする。
【００４１】
ここでは、カメラで撮影後にストーンペーパ１４を交換したが、必ずしも交換しなくてもよい。撮影後に表面１４ａの枠に書き込んだ情報を消して、ボード４に取り付けたストーンペーパ１４を繰り返し使用してもよい。
【００４２】
この柄付きバインダー２では、表示部としてのストーンペーパ１４は差し替えて使用できる。工事現場、建物検査現場、試験現場等それぞれの現場において、異なる情報を判り易く表示しうる表示枠を表示するストーンペーパ１４に差し替えしうる。この柄付きバインダー２は、表示枠の異なるストーンペーパ１４に差し替えることで、種々の現場で必要な情報を判り易く表示できる。
【００４３】
この柄付きバインダー２では、表示部としてのストーンペーパ１４を複数準備することで、撮影されたストーンペーパ１４をそのまま記録として残すことができる。例えば、撮影後のストーンペーパをファイルブックにファイルして、他のストーンペーパ１４をボード４に取り付けて次の撮影をすることができる。ここでは、ストーンペーパ１４を差し替えて使用しているが、予め、複数枚のストーンペーパ１４をボード４に取り付けてもよい。撮影したストーンペーパ１４を撮影後に取り外して、取り外されたストーンペーパ１４の後に重ねられた他のストーンペーパ１４が次に使用されてもよい。
【００４４】
ここでは、ストーンペーパ１４の表面１４ａに表示された枠に、その都度、必要な情報を書き込んだが、予め、異なる情報が書き込まれた種々のストーンペーパ１４が準備されてもよい。この柄付きバインダー２では、ストーンペーパ１４を取り替え可能にされているので、撮影される現場の状況に適した情報が書き込まれたストーンペーパ１４がボード４に取り付けられてもよい。
【００４５】
この柄付きバインダー２は留め具６を備えているので、種々の表示部を差し替えて表示できる。この柄付きバインダー２では、留め具６でボード４に取り付けられるものではあれば、ストーンペーパ１４に限らず、黒板、ホワイトボード、プレート、紙等、種々のものが使用できる。この柄付きバインダー２は、汎用性に優れている。
【００４６】
例えば、紙を用いた場合、プリンターを用いて、紙の表面に自由に文字や表示枠を印刷することができる。紙は、柄付きバインダー２の表示部として、特に汎用性に優れている。紙は複数枚を同時に、留め具６によって、ボード４に取り付けることができる。また、紙は軽く複数枚を準備して待ち運ぶことも容易である。紙は、ファイルブックにファイルする場合にも適している。
【００４７】
また、前述のストーンペーパ１４も、プリンターで印刷することができる。また、ストーンペーパ１４は、耐水性に優れているので、悪天候の屋外や、高温雰囲気でも使用できる。また、ストーンペーパ１４は、紙と同様に持ち運びが容易であり、ファイルブックにファイルし易い。
【産業上の利用可能性】
【００４８】
以上説明された柄付きバインダー２は、工事現場、建物検査現場、試験現場等、種々の場面における撮影に広く用いられる。
【符号の説明】
【００４９】
２・・・柄付きバインダー
４・・・ボード
６・・・留め具
８・・・ブラケット
１０・・・Ｔ字部材
１２・・・柄
１４・・・ストーンペーパ
１６・・・基部
１８・・・支持部
２０・・・係止部
２２・・・基板
【図１】
0003209347.tif 000003
【図２】
0003209347.tif 000004
【図３】
0003209347.tif 000005
【図４】
0003209347.tif 000006
【図５】
0003209347.tif 000007
【図６】
0003209347.tif 000008